【手続補正書】
【提出日】平成19年12月3日(2007.12.3)
【手続補正１】
【補正対象書類名】特許請求の範囲
【補正対象項目名】全文
【補正方法】変更
【補正の内容】
【特許請求の範囲】
【請求項１】
ＤＳＬループによって接続される上り送受信機と下り送受信機を有するＤＳＬシステムの物理層構成を評価する方法であって、
（ａ）物理層システムモデルを選択するステップ、
（ｂ）前記ＤＳＬシステムから性能特徴付け動作データを収集するステップ、
（ｃ）前記収集されたデータを前記物理層システムモデルからのモデルデータと比較するステップ、
（ｄ）前記ＤＳＬシステムと前記物理層システムモデル間の差異を縮減するために、前記モデルデータに対する前記収集されたデータの前記比較に基づいて前記物理層システムモデルを変更するステップ、
を備え、
前記物理層システムモデルが、
前記ＤＳＬシステムのチャネル特徴、
前記ＤＳＬシステムによって使用されるループの物理構成、
前記ＤＳＬシステムによって使用されるループで発生する電気故障、
前記ＤＳＬシステムのクロストーク特徴、
前記ＤＳＬシステムによって使用される前記ループの近隣のループの物理構成、
前記ＤＳＬシステムの雑音特性、または
前記ＤＳＬシステムに影響を及ぼす雑音源、
の少なくとも一つに関する情報を備える方法。
【請求項２】
（ｂ）、（ｃ）および（ｄ）が繰り返し実行される請求項１に記載の方法。
【請求項３】
前記ＤＳＬシステムの１または複数ユーザの動作モードを変更するステップをさらに備える請求項1に記載の方法。
【請求項４】
物理層システムモデルを選択する前記ステップは、複数の潜在的な物理層システムモデルを選択するステップを備え、
さらに、前記物理層システムモデルを変更する前記ステップは、実際の物理層システム構成であることの最大尤度を示す前記複数の潜在的物理層システムモデルの一部を選択するステップを備える請求項1に記載の方法。
【請求項５】
前記性能特徴付け動作データは以下のデータタイプ、すなわち、チャネル平均減衰測定値、チャネルビット配分、チャネル送信電力レベル、報告された現在データ転送速度、報告された最大可能データ転送速度、報告された誤り訂正パリティ、報告されたトレリス符号の使用、測定チャネル挿入損失、測定チャネル利得、測定チャネル位相、個々のユーザの電力レベルに関する推論データ、個々のユーザの電力レベルに関する動作データ、
個々のユーザのＰＳＤレベルに関する推論データ、個々のユーザのＰＳＤレベルに関する動作データ、個々のユーザの符号設定に関する推論データ、個々のユーザの符号設定に関する動作データ、潜在雑音のパラメータ化整形ＰＳＤに関する推論データ、潜在雑音のパラメータ化整形ＰＳＤに関する動作データ、最近の時間間隔における最高雑音変化の周波数／トーン指数、最近の時間間隔において発生したビットスワップの総数、ある時間間隔のいくつかの連続する部分区間にわたるＦＥＣ誤り、符号違反、または誤り発生秒違反の分布、測定雑音電力変動、測定ピーク対平均値電力比、測定チャネル対数規模、測定静止回線雑音レベル、測定アクティブ回線雑音レベル、ＡＴＭまたは他のプロトコルのセルカウント、測定ネットワークプロトコルスループット、再訓練数、失敗した同期試行数、報告されたキャリアマスク、報告されたトーン整形パラメータ、または、ベクトル化または行列チャネル特徴付けに関する推論データ、のうちの少なくとも１つを備える請求項1に記載の方法。
【請求項６】
収集用の性能特徴付け動作データを生成するために前記ＤＳＬシステムにおけるデータ送信を誘導するステップをさらに備える請求項１に記載の方法。
【請求項７】
データ送信を誘導するステップは、非アクティブユーザ回線上で、または現在ＤＳＬサービスを搬送していない回線上で、制御信号またはデータセットを提供するために刺激信号を送るステップを備え、
さらに、性能特徴付け動作データを収集するステップは、
前記刺激信号の回線に対する影響を測定するステップ、または
通常動作信号の回線に対する影響を測定するステップ、
の少なくとも1つを備える請求項６に記載の方法。
【請求項８】
ＤＳＬシステムに結合された、前記ＤＳＬシステムから性能特徴付けデータを収集する手段と、前記収集手段に結合された、前記収集された性能特徴付けデータに基づいて前記ＤＳＬシステムの構成を推定する手段とを備えるＤＳＬシステム構成推定器。
【請求項９】
前記通信システムは、ネットワーク管理システム、管理エンティティ、およびそれに結合された管理情報ベースを有するＤＳＬシステムであり、さらに前記収集手段は、前記ネットワーク管理システム、前記管理エンティティ、または前記管理情報ベースの少なくとも１つに結合されている請求項８に記載の推定器。
【請求項１０】
前記収集手段はコンピュータであり、さらに、前記推定手段もコンピュータである請求項８に記載の推定器。
【請求項１１】
前記推定手段は、前記収集されたデータを、潜在的システム構成を表すモデルと比較する請求項８に記載の推定器。
【請求項１２】
前記収集手段は、進行に従って性能特徴付けデータを収集し、
さらに、前記推定手段は、前記モデルを変更して前記モデルを前記収集されたデータに一致させるように構成されている請求項１１に記載の推定器。
【請求項１３】
前記推定手段は、前記収集されたデータを、潜在的システム構成の複数のモデルと比較し、前記収集されたデータに基づいて前記複数のモデルから最も可能性の高いモデルを選択する請求項８に記載の推定器。
【請求項１４】
前記推定手段は、最尤法を使って前記最も可能性の高いモデルを選択する請求項１３に記載の推定器。
【請求項１５】
前記推定器はコントローラに結合され、前記コントローラは制御信号を生成して前記ＤＳＬシステムの一部に送る手段を備え、前記制御信号は、前記ＤＳＬシステムの前記一部によって使用される動作モードに関する前記ＤＳＬシステムの前記一部への命令を備える請求項８に記載の推定器。
【請求項１６】
ＤＳＬループによって接続される上り送受信機と下り送受信機を含むＤＳＬシステムの物理層構成を評価するプログラム命令を提供するための機械可読媒体を備えるコンピュータプログラム製品であって、前記プログラム命令は、
物理層システムモデルを選択する命令と、
前記ＤＳＬシステムから性能特徴付け動作データを収集する命令と、
前記収集されたデータを、前記物理層システムモデルからのシステムデータと比較する命令と、
前記物理層システムモデルと前記ＤＳＬシステム間の差異を縮減するために、前記物理層システムに対する前記収集されたデータの前記比較に基づいて前記物理層システムモデルを変更する命令と、
を備えるコンピュータプログラム製品。
【請求項１７】
ＤＳＬループによって接続される上り送受信機と下り送受信機とを含むＤＳＬシステムの物理層構成を評価する方法であって、
前記ＤＳＬシステムにおいて要素管理プロトコルを介して動作データを受け取るステップを備える、前記ＤＳＬシステムから性能特徴付け動作データを収集するステップ、
複数の潜在的ＤＳＬ物理層システムモデルを識別するステップ、
前記収集された動作データを、前記複数の潜在的物理層システムモデルの中の各識別された潜在的物理層システムモデルからのシステムデータと比較するステップ、
前記収集された動作データに最もよく一致する前記潜在的物理層システムモデルを選択するステップ、
を備える方法。
【請求項１８】
前記性能特徴付け動作データが以下のデータタイプ、すなわち、
チャネル平均減衰測定値、チャネルビット配分、チャネル送信電力レベル、報告された現在データ転送速度、報告された最大可能データ転送速度、報告された誤り訂正パリティ、報告されたトレリス符号の使用、測定チャネル挿入損失、測定チャネル利得、測定チャネル位相、個々のユーザの電力レベルに関する推論データ、個々のユーザの電力レベルに関する動作データ、個々のユーザのＰＳＤレベルに関する推論データ、個々のユーザのＰＳＤレベルに関する動作データ、個々のユーザの符号設定に関する推論データ、個々のユーザの符号設定に関する動作データ、潜在雑音のパラメータ化整形ＰＳＤに関する推論データ、潜在雑音のパラメータ化整形ＰＳＤに関する動作データ、最近の時間間隔において最高雑音変化の周波数／トーン指数、最近の時間間隔において発生したビットスワップの総数、ある時間間隔のいくつかの連続する部分区間にわたるＦＥＣ誤り、符号違反、または誤り発生秒違反の分布、測定雑音電力変動、測定ピーク対平均値電力比、測定チャネル対数規模、測定静止回線雑音レベル、測定アクティブ回線雑音レベル、ＡＴＭまたは他のプロトコルのセルカウント、測定ネットワークプロトコルスループット、再訓練数、失敗した同期試行数、報告されたキャリアマスク、報告されたトーン整形パラメータ、またはベクトル化または行列チャネル特徴付けに関する推論データの少なくとも1つを備え、さらに、前記収集された動作データを、前記複数の潜在的物理層システムモデルの中の各識別された潜在的物理層システムモデルと比較するステップが、以下、すなわち、ユーザ使用によって生成される、観測動作データを、前記複数の物理層システムモデルの中の各識別された潜在的物理層システムモデルと比較するステップ、または前記ＤＳＬシステムを刺激することによって生成される、誘導動作データを、前記複数の物理層システムモデルの中の各識別された潜在的物理層システムモデルと比較するステップ、または前記ＤＳＬシステム内で時間関連イベントを作成することによって生成される、時間関連動作データを、前記複数の物理層システムモデルの中の各識別された潜在的物理層システムモデルと比較するステップの少なくとも１つを備え、
前記方法が、前記動作データと最も近い相関関係にある前記潜在的物理層システムモデルの１つを選択するステップ、または各識別された潜在的物理層システムモデルに対する前記収集されたデータの前記比較に基づいて前記ＤＳＬシステムのユーザの前記動作モードを設定するステップの少なくとも１つをさらに備える請求項１７に記載の方法。